(57)【要約】【課題】  ユーザの指定した焦点検出エリアから被写体が外れた場合にも、比較的に適正な露出を得る。【解決手段】  カメラの合焦制御部は、撮影画面内の焦点検出エリアでの合焦状態に応じて、撮影光学系の焦点調節を行う。分割測光部は、撮影画面を複数の測光領域に分割して測光する。露出演算部は、分割測光部で取得された測光値を用いて、被写体からの光束に対する露出量を求める。そして、露出演算部は、ユーザに指定された第１焦点検出エリアに対応する第１測光領域での測光値と、被写体の動きに応じて合焦制御部が選択した第２焦点検出エリアに対応する第２測光領域での測光値とを加重平均した値を用いて、露出量を求める。【選択図】  図１
2013040998.tif 000002
【特許請求の範囲】
【請求項１】
撮影画面内の焦点検出エリアでの合焦状態に応じて、撮影光学系の焦点調節を行う合焦制御部と、
前記撮影画面を複数の測光領域に分割して測光する分割測光部と、
前記分割測光部で取得された測光値を用いて、被写体からの光束に対する露出量を求める露出演算部と、を備え、
前記露出演算部は、ユーザに指定された第１焦点検出エリアに対応する第１測光領域での前記測光値と、前記被写体の動きに応じて前記合焦制御部が選択した第２焦点検出エリアに対応する第２測光領域での前記測光値とを加重平均した値を用いて、前記露出量を求めることを特徴とするカメラ。
【請求項２】
請求項１に記載のカメラにおいて、
前記露出演算部は、前記第２焦点検出エリアに前記被写体が位置する度合いを示す信頼度に応じて、前記第１測光領域および前記第２測光領域の測光値の重みを調整することを特徴とするカメラ。
【請求項３】
請求項１に記載のカメラにおいて、
前記露出演算部は、前記合焦制御部による第２焦点検出エリアの選択と、前記露出演算部による前記第２測光領域の指定とが同期していないときに、前記第１測光領域および前記第２測光領域の測光値の重みを所定の値に固定することを特徴とするカメラ。
【発明の詳細な説明】
【技術分野】
【０００１】
本発明は、カメラに関する。
【背景技術】
【０００２】
従来から、焦点検出エリアの位置に対応する分割測光領域での測光結果を用いて、露出演算を行うカメラが知られている。
【先行技術文献】
【特許文献】
【０００３】
【特許文献１】特開平７−３１９００３号公報
【発明の概要】
【発明が解決しようとする課題】
【０００４】
例えば、ユーザの指定した焦点検出エリアで動きの激しい被写体を撮影するケースを考えると、上記従来技術では、ユーザの指定した焦点検出エリアから被写体が外れてしまうと適正な露出が得られない。
【課題を解決するための手段】
【０００５】
本発明の一側面であるカメラは、合焦制御部と、分割測光部と、露出演算部とを備える。合焦制御部は、撮影画面内の焦点検出エリアでの合焦状態に応じて、撮影光学系の焦点調節を行う。分割測光部は、撮影画面を複数の測光領域に分割して測光する。露出演算部は、分割測光部で取得された測光値を用いて、被写体からの光束に対する露出量を求める。そして、露出演算部は、ユーザに指定された第１焦点検出エリアに対応する第１測光領域での測光値と、被写体の動きに応じて合焦制御部が選択した第２焦点検出エリアに対応する第２測光領域での測光値とを加重平均して、露出量を求める。
【０００６】
上記の一の側面において、露出演算部は、第２焦点検出エリアに被写体が位置する度合いを示す信頼度に応じて、第１測光領域および第２測光領域の測光値の重みを調整してもよい。
【０００７】
上記の一の側面において、露出演算部は、合焦制御部による第２焦点検出エリアの選択と、露出演算部による第２測光領域の指定とが同期していないときに、第１測光領域および第２測光領域の測光値の重みを所定の値に固定してもよい。
【発明の効果】
【０００８】
本発明によれば、ユーザの指定した焦点検出エリアから被写体が外れた場合にも、比較的適正な露出を得ることができる。
【図面の簡単な説明】
【０００９】
【図１】一の実施形態におけるカメラの撮影機構の例を示す概要図
【図２】一の実施形態におけるカメラの回路構成例を示すブロック図
【図３】撮影画面内における焦点検出エリアおよび測光領域の配置例を示す図
【図４】一の実施形態におけるカメラの撮影モードでの動作例を示す流れ図
【図５】測光領域のグループ化の例を示す図
【図６】第１焦点検出エリアおよび第１測光領域と、第２焦点検出エリアおよび第２測光領域との設定例を示す図
【図７】信頼度に応じた重み係数ｗｔの設定例を示す図
【発明を実施するための形態】
【００１０】
図１は、一の実施形態におけるカメラの撮影機構の例を示す概要図である。図２は、一の実施形態におけるカメラの回路構成例を示すブロック図である。なお、一の実施形態でのカメラは、一眼レフレックス型のレンズ交換可能な電子カメラである。
【００１１】
まず、図１を参照しつつ電子カメラの撮影機構の例を説明する。一の実施形態の電子カメラは、カメラ本体１と、撮像光学系を収納したレンズユニット２とを有している。ここで、カメラ本体１およびレンズユニット２には、一対のマウントがそれぞれ設けられている。レンズユニット２は、上記のマウントを介して、カメラ本体１に対して交換可能に接続される。また、上記のマウントにはそれぞれ電気接点が設けられており、カメラ本体１とレンズユニット２との接続時には両者の電気的な接続が確立する（図１でのマウントおよび電気接点の図示は省略する）。
【００１２】
レンズユニット２は、フォーカシングレンズ３およびレンズドライバ４と、絞り５および絞りドライバ６と、レンズ内メモリ７とを内蔵している。フォーカシングレンズ３は、カメラ本体１からの指示に応じて、レンズドライバ４によって駆動される。また、絞り５は、カメラ本体１からの指示に応じて絞りドライバ６によって駆動される。また、レンズ内メモリ７は、レンズユニット２の情報を記憶したメモリである。なお、レンズ内メモリ７に記憶されている情報は、カメラ本体１に出力される。
【００１３】
カメラ本体１は、メインミラー１１と、メカニカルシャッタ１２と、記録用撮像素子１３と、サブミラー１４と、焦点検出部１５と、ファインダ光学系（２１〜２４）と、解析用撮像素子１６と、マイコン１７およびモニタ１８とを有している。メインミラー１１、メカニカルシャッタ１２および記録用撮像素子１３は、レンズユニット２の光軸に沿って配置される。メインミラー１１の後方にはサブミラー１４が配置される。また、カメラ本体１の上部にはファインダ光学系が配置されている。さらに、カメラ本体１の下部には焦点検出部１５が配置されている。なお、モニタ１８は、各種画像を表示する表示装置（液晶モニタや有機ＥＬモニタなど）であって、カメラ本体１の筐体背面に配置される。
【００１４】
メインミラー１１は、不図示の回動軸によって回動可能に軸支されており、観察状態と退避状態とを切り替え可能となっている。観察状態のメインミラー１１は、メカニカルシャッタ１２および記録用撮像素子１３の前方で傾斜配置される。この観察状態のメインミラー１１は、レンズユニット２を通過した光束を上方へ反射してファインダ光学系に導く。また、メインミラー１１の中央部はハーフミラーとなっている。そして、メインミラー１１を透過した一部の光束はサブミラー１４によって下方に屈折されて焦点検出部１５に導かれる。
【００１５】
ここで、一の実施形態での焦点検出部１５は、図３に示すように撮影画面内に十字状に配置された５つの焦点検出エリアを有している。焦点検出部１５は、各々の焦点検出エリアにおいて、不図示のセパレータレンズで分割した被写体像の像ズレ量を検出する。
【００１６】
一方、退避状態のメインミラー１１は、サブミラー１４とともに上方に跳ね上げられて撮影光路から外れた位置にある。メインミラー１１が退避状態にあるときは、レンズユニット２を通過した光束がメカニカルシャッタ１２および記録用撮像素子１３に導かれる。
【００１７】
ファインダ光学系は、焦点板２１と、コンデンサレンズ２２と、ペンタプリズム２３と、接眼レンズ２４とを有している。焦点板２１はメインミラー１１の上方に位置し、観察状態のメインミラー１１で反射された光束を一旦結像させる。焦点板２１で結像した光束はコンデンサレンズ２２およびペンタプリズム２３を通過し、ペンタプリズム２３の入射面に対して９０°の角度を持った射出面から接眼レンズ２４を介してユーザの目に到達する。また、焦点板２１で結像した光束の一部はコンデンサレンズ２２およびペンタプリズム２３を通過し、ペンタプリズム２３の射出面近傍に配置された再結像レンズ２５から解析用撮像素子１６に入射する。
【００１８】
次に、図２を参照しつつ、カメラの回路構成例を説明する。カメラ本体１は、上記の焦点検出部１５、マイコン１７およびモニタ１８に加えて、分割測光部３１と、撮像部３２と、第１メモリ３３と、第２メモリ３４と、メディアＩ／Ｆ３５と、操作部３６とを有している。ここで、焦点検出部１５、モニタ１８、分割測光部３１、撮像部３２、第１メモリ３３、第２メモリ３４、メディアＩ／Ｆ３５、操作部３６は、それぞれマイコン１７に接続されている。また、カメラ本体１とレンズユニット２との接続時には、マイコン１７は、レンズドライバ４、絞りドライバ６、レンズ内メモリ７と接続される。
【００１９】
分割測光部３１は、解析用撮像素子１６と、信号処理回路３７とを含むモジュールである。解析用撮像素子１６の出力は、信号処理回路３７に接続されている。
【００２０】
解析用撮像素子１６は、撮影画面内の被写体の状況を解析するための測光センサであって、受光素子が２次元配列された受光面を有している。解析用撮像素子１６は、ファインダ光学系を通過して受光面に結像した被写体像の分割測光を実行する。図３は、撮影画面内における焦点検出エリアおよび測光領域の配置例を示す。本明細書において、測光領域の測光値の表記は、例えば、撮影画面の左下を基点として第ｖ行目第ｈ列目の測光領域の測光値であれば、Ｂ［ｈ，ｖ］のように示す。なお、図３では、撮影画面が８×８の測光領域に分割されている例を示す。
【００２１】
また、信号処理回路３７は、解析用撮像素子１６の出力信号に対するゲイン調整やＡ／Ｄ変換等を行う回路である。なお、信号処理回路３７の出力はマイコン１７に接続されている。
【００２２】
撮像部３２は、記録用撮像素子１３と、信号処理回路３８とを含むモジュールである。撮像部３２は、ユーザの撮影指示に応じて、不揮発性の記憶媒体（３９）への記録を伴う記録用静止画像（本画像とも称する）を撮影（撮像）する。
【００２３】
記録用撮像素子１３は、撮影画面内の被写体を撮影して本画像のデータを生成するためのイメージセンサ（ＣＣＤまたはＣＭＯＳ）である。一の実施形態での記録用撮像素子１３は、解析用撮像素子１６と異なる構成のセンサであり、解析用撮像素子１６よりも多数の画素を有している。記録用撮像素子１３の出力は信号処理回路３８に接続されており、信号処理回路３８の出力はマイコン１７に接続されている。なお、信号処理回路３８の構成は、上記の信号処理回路３７とほぼ共通であるので重複説明は省略する。
【００２４】
第１メモリ３３は、画像のデータを一時的に記憶するメモリであって、例えば揮発性の記憶媒体であるＳＤＲＡＭで構成される。また、第２メモリ３４は、マイコン１７の実行するプログラムや、各種データを記憶するメモリであって、例えばフラッシュメモリ等の不揮発性メモリで構成される。
【００２５】
メディアＩ／Ｆ３５は、不揮発性の記憶媒体３９を接続するためのコネクタを有している。そして、メディアＩ／Ｆ３５は、コネクタに接続された記憶媒体３９に対して画像のデータの書き込み／読み込みを実行する。上記の記憶媒体３９は、例えば、ハードディスクや、半導体メモリを内蔵したメモリカードである。なお、図２では記憶媒体３９の一例としてメモリカードを図示する。
【００２６】
操作部３６は、ユーザの各種操作を受け付ける複数のスイッチを有している。例えば、操作部３６は、撮影モードでの本画像の撮影指示や、ＡＦ（オートフォーカス）・ＡＥ（自動露出）指示を受け付けるレリーズ釦や、モード切替用の十字キーなどを含む。
【００２７】
マイコン１７は、一の実施形態でのカメラシステム全体の動作を統括的に制御するプロセッサである。例えば、マイコン１７は、撮影時にメインミラー１１やメカニカルシャッタ１２などを駆動させる。また、マイコン１７は、ユーザの撮影指示に応じて、撮像部３２に本画像を撮像させる。
【００２８】
また、マイコン１７は、プログラムの実行により、画像処理部４１、合焦制御部４２、露出演算部４３として機能する。
【００２９】
画像処理部４１は、撮像部３２から入力された本画像のデータに対して、色補間、ホワイトバランス補正、階調変換、色変換、輪郭強調などの画像処理を施す。また、画像処理部４１は、本画像のデータの圧縮伸長処理も実行する。
【００３０】
合焦制御部４２は、焦点検出部１５で検出された各焦点検出エリアでの像ズレ量から、各焦点検出エリアでのデフォーカス量を公知の演算でそれぞれ求める。そして、合焦制御部４２は、上記のデフォーカス量に応じてフォーカシングレンズ３を駆動させることにより、レンズユニット２の焦点調節を行う。
【００３１】
また、一の実施形態での合焦制御部４２は、動体予測ＡＦ機能を有している。動体予測ＡＦでは、動いている被写体（動体）を撮影するときに、合焦制御部４２が複数回測距を繰り返して実行して動体の移動量を演算する。そして、動体予測ＡＦ時の合焦制御部４２は、上記の演算結果に基づく動体の移動速度から撮影時の動体位置を予測してＡＦを行う。なお、動体予測ＡＦのアルゴリズムは公知であるので、詳細な説明は省略する。
【００３２】
露出演算部４３は、分割測光部３１で取得された測光領域の測光値を用いて、被写体からの光束に対する露出量を求める。そして、露出演算部４３は、上記の露出量に応じて、撮影時の絞り値やシャッタ速度を制御する露出制御を行う。
【００３３】
次に、図４の流れ図を参照しつつ、一の実施形態におけるカメラの撮影モードでの動作例を説明する。この撮影モードの動作は、例えばレリーズ釦の半押し操作によるＡＦ・ＡＥ指示をマイコン１７が受け付けたときに開始される。なお、図４の動作例では、ユーザの指定によりＡＦに適用される焦点検出エリア（第１焦点検出エリア）として、画面中央の焦点検出エリアが予め指定されている状態を前提として説明を行う。
【００３４】
ステップ＃１０１：マイコン１７は、分割測光部３１を駆動させて撮影画面の分割測光を行う。これにより、露出演算部４３は、撮影画面の各測光領域の測光値をそれぞれ取得する。
【００３５】
ステップ＃１０２：合焦制御部４２は、上述の動体予測ＡＦの場合と同様の処理で動体位置の予測を行う。そして、合焦制御部４２は、撮影画面内の全焦点検出エリアのうちで、動体が位置している可能性が最も高い焦点検出エリア（第２焦点検出エリア）を選択する。このとき、合焦制御部４２は、公知の演算により、第２焦点検出エリアの信頼度（動体が位置する度合い）も求める。例えば、上記の信頼度は、例えば被写体のコントラストが低いシーンでは低い値となる。なお、第２焦点検出エリアの位置および信頼度の情報は、例えば第１メモリ３３に保持される。
【００３６】
ここで、ＡＦの処理ではユーザの指定した第１焦点検出エリアの情報が優先的に使用される。図４では、第１焦点検出エリアのデフォーカス量を用いたＡＦ動作の説明は、簡単のため省略する。一方、第２焦点検出エリアの位置情報は、主に後述の露出量の演算で動体の明るさを反映させるために使用される。
【００３７】
ステップ＃１０３：露出演算部４３は、露出量の演算に用いる輝度特徴量を求める。
【００３８】
一例として、＃１０３での露出演算部４３は、以下の（処理Ａ）〜（処理Ｃ）を順次実行する。
【００３９】
（処理Ａ）：露出演算部４３は、＃１０１で取得した測光値に基づいて、第１グループから第５グループのグループ測光値（Ｇ［１］〜Ｇ［５］）を、以下の式（１）で求める。なお、各グループはそれぞれ１６個（４×４）の分割領域で構成されている。そして、中央に位置する第１グループは、第２グループから第５グループと重なり合うように設定されている（図５参照）。
【００４０】
【数１】
2013040998.tif 000003
【００４１】
ここで、「ＳＵＭ（Ｂ［ｘ１，ｙ１］．．Ｂ［ｘ２，ｙ２］）」は、測光領域［ｘ１，ｙ１］，［ｘ２，ｙ１］，［ｘ１，ｙ２］，［ｘ２，ｙ２］が４隅となる撮影画面上の矩形領域（１グループ）の測光値の合計を返す関数である。
【００４２】
（処理Ｂ）：露出演算部４３は、上述した各グループの測光値（グループ測光値Ｇ［１］〜Ｇ［５］）と所定の輝度Ｌｂｖとを比較する。そして、グループ測光値のいずれかが所定の輝度Ｌｂｖ以上である場合、露出演算部４３はそのグループ測光値を所定の輝度Ｌｂｖに置換してクリップする。例えば、あるグループの測光領域に太陽が含まれる場合には、処理Ｂによりでそのグループ測光値の上限値がカットされることとなる。
【００４３】
（処理Ｃ）：露出演算部４３は、各グループ測光値Ｇ［１］〜Ｇ［５］を用いて、被写体の特徴となる情報を、以下の式（２）によって求める。ここで、処理Ｃで求められる特徴には、平均輝度値ＢｖＭｅａｎ、中央部の輝度ＢｖＣ、最大輝度ＢｖＭａｘ、最小輝度ＢｖＭｉｎ、画面上部と画面下部の輝度差ｄＨＥ、焦点検出エリアによる輝度特徴量ＢｖＡＦが含まれる。
【００４４】
【数２】
2013040998.tif 000004
【００４５】
式（２）において、「ＭＡＸ（ｘ［１］．．ｘ［ｎ］）」は、ｘ［１］からｘ［ｎ］までの最大値を返す関数である。「ＭＩＮ（ｘ［１］．．ｘ［ｎ］）」は、ｘ［１］からｘ［ｎ］までの最小値を返す関数である。「ＡＢＳ（ｘ）」はｘの絶対値を返す関数である。また、「ＢｖＡＦＵｓｒ」は、第１焦点検出エリアに対応する測光領域（第１測光領域）の測光値であり、「ＢｖＡＦＣＭ」は、第２焦点検出エリアに対応する測光領域（第２測光領域）の測光値である。また、「ｗｔ」は０〜１の範囲内で値をとる重み係数である。
【００４６】
図６は、第１焦点検出エリアおよび第１測光領域と、第２焦点検出エリアおよび第２測光領域との設定例を示す図である。図６では、第２焦点検出エリアとして撮影画面の左側の焦点検出エリアが選択された例を示している。このとき、図６での第１測光領域には、［４，４］，［５，４］，［４，５］，［５，５］の４つの測光領域が含まれる。また、図６での第２測光領域には、［２，４］，［３，４］，［２，５］，［３，５］の４つの測光領域が含まれる。
【００４７】
ここで、輝度特徴量ＢｖＡＦを求めるときに、露出演算部４３は、第２焦点検出エリアの信頼度に応じて加重平均の重み係数ｗｔを変動させてもよい。図７に、信頼度に応じた重み係数ｗｔの設定例を示す。例えば、第２焦点検出エリアの信頼度が閾値Ｓｔｈ１未満のときには、露出演算部４３は重み係数ｗｔを０にする。第２焦点検出エリアの信頼度が閾値Ｓｔｈ２より大きいときには、露出演算部４３は重み係数ｗｔを１にする。そして、第２焦点検出エリアの信頼度が閾値Ｓｔｈ１以上閾値Ｓｔｈ２以下の範囲では、露出演算部４３は信頼度の増加に応じて重み係数ｗｔを線形的に増加させる。この場合には、信頼度に応じてＢｖＡＦＣＭの重みが変動するので、動体の明るさが露出により反映されやすくなる。
【００４８】
なお、合焦制御部４２による第２焦点検出エリアの選択（＃１０２）と、露出演算部４３による第２測光領域の指定とが同期せずに所定時間以上の遅延が生じる場合、露出演算部４３は重み係数ｗｔを所定値に固定してもよい。所定値とは例えば０．５である。
【００４９】
ステップ＃１０４：露出演算部４３は、＃１０３で求めた被写体の特徴となる情報（ＢｖＭｅａｎ、ＢｖＣ、ＢｖＭａｘ、ＢｖＭｉｎ、ｄＨＥ、ＢｖＡＦ）にそれぞれ重み係数Ｋ１〜Ｋ６を乗算し、以下の式（３）によって輝度値ＢｖＡｎｓを演算する。なお、式（３）の重み係数Ｋ１〜Ｋ６は、選択された測光モードに応じてそれぞれ最適化される。
BvAns = K1×BvMean+K2×BvC+K3×BvMax+K4×BvMin+K5×dHE+K6×BvAf …(3)
ステップ＃１０５：露出演算部４３は、輝度値ＢｖＡｎｓ（＃１０４）に基づいて公知の露出演算により露出量を演算するとともに、この露出量に基づいて露出制御（シャッタ速度、絞り値などの各パラメータ調整）を行う。なお、輝度値ＢｖＡｎｓが高い場合には露出量はアンダー側となり、輝度値ＢｖＡｎｓが低い場合には露出量はオーバー側となる。
【００５０】
ステップ＃１０６：マイコン１７は、本画像の撮影指示（レリーズ釦の全押し操作）を受け付けたか否かを判定する。上記要件を満たす場合（ＹＥＳ側）には＃１０７に処理が移行する。一方、上記要件を満たさない場合（ＮＯ側）には＃１０１に戻って上記の処理が繰り返される。
【００５１】
ステップ＃１０７：マイコン１７は、本画像の撮影を実行する。撮像部３２によって撮影された本画像のデータは、画像処理部４１で一連の画像処理が施された後に、メディアＩ／Ｆ３５を介して記憶媒体３９に記録される。以上で、図４の流れ図の説明を終了する。
【００５２】
以下、一の実施形態におけるカメラの作用効果を述べる。
【００５３】
一の実施形態において、露出演算部４３は、ユーザに指定された第１焦点検出エリアに対応する測光領域の測光値ＢｖＡＦＵｓｒと、動体予測で求めた第２焦点検出エリアに対応する測光領域の測光値ＢｖＡＦＣＭとを加重平均した値を用いて、露出量を求める（＃１０３〜＃１０５）。
【００５４】
ＡＦで使用する焦点検出エリアを基準として露出量を求める場合と比べると、一の実施形態では、動体の撮影時に第１焦点検出エリアから被写体が外れた場合に、動体が位置する可能性の高い第２測光領域の明るさが露出量に反映される。よって、一の実施形態では、動体撮影時において比較的適正な露出を得ることが容易となる。
【００５５】
本実施形態によれば、ユーザに指定された第１焦点検出エリアに対応する第１測光領域での測光値と、被写体の動きに応じて合焦制御部が選択した第２焦点検出エリアに対応する第２測光領域での測光値とを加重平均した値を用いて、露出量が求められる。これにより、ユーザの指定した焦点検出エリアから被写体が外れた場合にも、比較的適正な露出を得ることができる。
【００５６】
＜実施形態の補足事項＞
（補足１）上記実施形態では、一眼レフレックス型の電子カメラの構成例を説明したが、一眼レフレックス型の銀塩カメラにも本発明を適用できる。
【００５７】
（補足２）上記実施形態での記録用撮像素子１３は、本画像等を撮像するための受光素子と同一の受光面に焦点検出用の受光素子を有するものであってもよい。この場合、本画像を撮像する受光素子で分割測光を行い、焦点検出用の受光素子でＡＦを行えば、上記実施形態での焦点検出部および分割測光部を１つの撮像素子で代用できる。なお、焦点検出用の受光素子は、それぞれが位相差を有する第１信号列のパターンと第２信号列のパターンとを検出するように構成される。そして、これらのパターンの像ズレ量からカメラが撮像光学系の焦点調節状態を求めればよい（なお、補足２における撮像素子の構成例の図示は省略する）。
【００５８】
（補足３）上記実施形態での測光領域や焦点検出エリアの配置はあくまで一例にすぎず、本発明の測光領域や焦点検出エリアの配置は上記実施形態に限定されるものではない。
【００５９】
（補足４）上記実施形態では、画像処理部４１、合焦制御部４２、露出演算部４３がソフトウエア的に実現する例を説明したが、これらの構成はＡＳＩＣなどによってハードウエア的に実現されるものであってもよい。
【００６０】
以上の詳細な説明により、実施形態の特徴点および利点は明らかになるであろう。これは、特許請求の範囲が、その精神および権利範囲を逸脱しない範囲で前述のような実施形態の特徴点および利点にまで及ぶことを意図する。また、当該技術分野において通常の知識を有する者であれば、あらゆる改良および変更に容易に想到できるはずであり、発明性を有する実施形態の範囲を前述したものに限定する意図はなく、実施形態に開示された範囲に含まれる適当な改良物および均等物によることも可能である。
【符号の説明】
【００６１】
１…カメラ本体、２…レンズユニット、３…フォーカシングレンズ、４…レンズドライバ、５…絞り、６…絞りドライバ、７…レンズ内メモリ、１１…メインミラー、１２…メカニカルシャッタ、１３…記録用撮像素子、１４…サブミラー、１５…焦点検出部、１６…解析用撮像素子、１７…マイコン、１８…モニタ、２１…焦点板、２２…コンデンサレンズ、２３…ペンタプリズム、２４…接眼レンズ、２５…再結像レンズ、３１…分割測光部、３２…撮像部、３３…第１メモリ、３４…第２メモリ、３５…メディアＩ／Ｆ、３６…操作部、３７，３８…信号処理回路、３９…記憶媒体、４１…画像処理部、４２…合焦制御部、４３…露出演算部
【図１】
2013040998.tif 000005
【図２】
2013040998.tif 000006
【図３】
2013040998.tif 000007
【図４】
2013040998.tif 000008
【図５】
2013040998.tif 000009
【図６】
2013040998.tif 000010
【図７】
2013040998.tif 000011